(57)【要約】      （修正有）【課題】太陽光モジュールの設置にかかる面積を最小化し、狭小な空間にも設置できるようにして山林面積を過多に占有することを防止する複層の太陽光モジュール設置構造を提供する。【解決手段】両側が互いに離隔して配置されるように設置され、互いに向き合う側面に長手方向に案内溝が形成されたフレームと、前記フレームの間に、前記案内溝に沿って移動することができるように、上部及び下部にそれぞれ取り付けられ、入射する太陽光の太陽エネルギーを電気エネルギーに変換させる太陽光モジュールで、構成によってフレームに太陽光モジュールを上下に配置させることにより、太陽光モジュール設置空間を効率的に使うことができる。【選択図】図１
0003224522.tif 000002
【実用新案登録請求の範囲】
【請求項１】
両側が互いに離隔して配置されるように設置され、互いに向き合う側面に長手方向に案内溝が形成されたフレームと、
前記フレームの間に、前記案内溝に沿って移動することができるように、上部及び下部にそれぞれ取り付けられ、入射する太陽光の太陽エネルギーを電気エネルギーに変換させる太陽光モジュールと、を含み、
前記フレームは上部及び下部が同一であり、前後方向に曲がった波形に形成され、
前記太陽光モジュールは入射する日光から互いに遮られないように最前方及び最後方にそれぞれ位置するか、最上方及び最下方にそれぞれ位置し、
前記太陽光モジュールの両側には前記案内溝に結合される移動部材を含み、
前記移動部材は、
前記太陽光モジュールの両側中央に結合された回転軸と、
前記回転軸の一端に一端が結合され、他端が前方に配置された第１リンクと、
前記第１リンクの他端に結合され、前記案内溝の内周面前方に配置される回転ローラーと、
前記回転軸の一端に一端が結合され、他端が後方に配置された第２リンクと、
前記第２リンクの他端に結合され、前記案内溝の内周面後方に形成されたラックギアと噛み合う第１回転ギアとを含むことを特徴とする、複層の太陽光モジュール設置構造。
【請求項２】
前記回転軸の各他端の周囲には歯車が形成され、
前記太陽光モジュールの両側には前記歯車と噛み合う第２回転ギアが形成されたことを特徴とする、請求項１に記載の複層の太陽光モジュール設置構造。
【請求項３】
前記フレームの上端には、雨天時に雨水を感知する雨水センサー及び太陽の角度を追跡する太陽光追跡センサーが備えられ、
前記フレームの上部には制御部が取り付けられ、前記雨水センサー及び太陽光追跡センサーから第１センサー値及び第２センサー値を受けて前記第１回転ギア及び第２回転ギアを駆動させる第１駆動モーター及び第２駆動モーターを制御し、
雨水の感知時に前記太陽光モジュールのそれぞれを縦方向に回転させるか、正午時に前記太陽光モジュールのそれぞれを最前方及び最後方に配置させ、縦方向に回転させることを特徴とする、請求項２に記載の複層の太陽光モジュール設置構造。
【考案の詳細な説明】
【技術分野】
【０００１】
本考案は複層の太陽光モジュール設置構造に係り、より詳しくは太陽エネルギーを受けて電気エネルギーに変換させる太陽光モジュールが複層に設置された構造に関する。
【背景技術】
【０００２】
近来には、化石燃料の大量使用による地球温暖化及び環境破壊などによって気象異変が発生し、自然災害の被害規模が増加するにつれて、これを解消するための方便として代替エネルギーの開発及び使用が活発に進行されている。その中でも、無公害エネルギーでありながらも経済性がある太陽光モジュールが脚光を浴びている。
【０００３】
一般に、太陽光モジュールはシリコン半導体などから構成された太陽電池（Ｓｏｌａｒ  Ｃｅｌｌ）に太陽光が入射すれば電気が発生する現象（光電效果、Ｐｈｏｔｏｅｌｅｃｔｒｉｃ  Ｅｆｆｅｃｔ）を用いて電気を発電する。
【０００４】
近来には、太陽電池関連技術の発達によって太陽光発電の分野に対する研究及び商用化が活発に進行されている。
【０００５】
しかし、このような太陽光モジュールは発電効率がソーラーセルの設置面積に比例するから、相対的に広い大地を必要とする。
【０００６】
したがって、狭い面積に設置する場合、発電量が少ない問題点があり、広い面積に設置する場合、それによる設置費用の増加はもちろんのこと、広い大地を必要として山林が毀損される問題点がある。
【先行技術文献】
【特許文献】
【０００７】
【特許文献１】韓国公開特許第１０−２０１１−０１００６７２号公報
【特許文献２】韓国公開特許第１０−２０１１−００９０９１８号公報
【特許文献３】韓国公開特許第１０−２００８−００２０２７８号公報
【特許文献４】韓国公開特許第１０−２０１５−０１１０４９４号公報
【考案の概要】
【考案が解決しようとする課題】
【０００８】
本考案は前記のような問題点を解決するためになされたもので、太陽光モジュールの設置にかかる面積を最小化し、狭小な空間にも設置できるようにして山林面積を過多に占有することを防止することにその目的がある。
【０００９】
また、太陽光モジュールが影によって互いに遮られることを防止することにその目的がある。
【課題を解決するための手段】
【００１０】
前記のような目的を達成するために、本考案の好適な実施例による複層の太陽光モジュール設置構造は、両側が互いに離隔して配置されるように設置され、互いに向き合う側面に長手方向に案内溝が形成されたフレームと、前記フレームの間に、前記案内溝に沿って移動することができるように、上部及び下部にそれぞれ取り付けられ、入射する太陽光の太陽エネルギーを電気エネルギーに変換させる太陽光モジュールとを含む。
【００１１】
また、前記フレームは上部及び下部が同一であり、前後方向に曲がった波形に形成され、前記太陽光モジュールは入射する日光から互いに遮られないように最前方及び最後方にそれぞれ位置するか、最上方及び最下方にそれぞれ位置することを特徴とする。
【００１２】
また、前記太陽光モジュールの両側には前記案内溝に結合される移動部材を含み、前記移動部材は、前記太陽光モジュールの両側中央に結合された回転軸と、前記回転軸の一端に一端が結合され、他端が前方に配置された第１リンクと、前記第１リンクの他端に結合され、前記案内溝の内周面前方に配置される回転ローラーと、前記回転軸の一端に一端が結合され、他端が後方に配置された第２リンクと、前記第２リンクの他端に結合され、前記案内溝の内周面後方に形成されたラックギアと噛み合う第１回転ギアとを含む。
【００１３】
また、前記回転軸の各他端の周囲には歯車が形成され、前記太陽光モジュールの両側には前記歯車と噛み合う第２回転ギアが形成されることができる。
【００１４】
また、前記フレームの上端には、雨天時に雨水を感知する雨水センサー及び太陽の角度を追跡する太陽光追跡センサーが備えられ、前記フレームの上部には制御部が取り付けられ、前記雨水センサー及び太陽光追跡センサーから第１センサー値及び第２センサー値を受けて前記第１回転ギア及び第２回転ギアを駆動させる第１駆動モーター及び第２駆動モーターを制御し、雨水の感知時に前記太陽光モジュールのそれぞれを縦方向に回転させるか、正午時に前記太陽光モジュールのそれぞれを最前方及び最後方に配置させ、縦方向に回転させることができる。
【考案の効果】
【００１５】
本考案による複層の太陽光モジュール設置構造によれば、フレームに太陽光モジュールを上下に配置することにより、太陽光モジュール設置空間を効率的に使うことができる効果を得ることができる。
【００１６】
また、フレームを波形に形成することにより、上下に配置された太陽光モジュールが互いに影によって日光から遮られることを防止してエネルギー効率を極大化することができる効果を得ることができる。
【図面の簡単な説明】
【００１７】
【図１】本考案の好適な実施例による複層の太陽光モジュール設置構造の斜視図である。
【図２】本考案の好適な実施例によるフレームの動作図である。
【図３】本考案の好適な実施例によるフレームの動作図である。
【図４】本考案の好適な実施例による移動部材の拡大図である。
【図５】本考案の好適な実施例による移動部材の拡大図である。
【図６】本考案の好適な実施例による制御部のブロック図である。
【考案を実施するための形態】
【００１８】
本考案の利点及び特徴、そしてそれらを達成する方法は添付図面に基づいて詳細に後述する実施例を参照すれば明らかになるであろう。
【００１９】
しかし、本考案は以下で開示する実施例に限定されるものではなく、互いに異なる多様な形態に具現されることができる。ただ、本実施例は本考案の開示を完全にし、本考案が属する技術分野で通常の知識を有する者に考案の範疇を完全に知らせるために提供するものであり、本考案は請求範囲の範疇によって定義されるだけである。明細書全般にわたって同じ参照符号は同じ構成要素を示す。
【００２０】
以下、複層の太陽光モジュール設置構造を説明するための図面を参照して本考案を実施例に基づいて説明する。
【００２１】
図１は本考案の好適な実施例による複層の太陽光モジュール設置構造の斜視図、図２及び図３は本考案の好適な実施例によるフレームの動作図、図４及び図５は本考案の好適な実施例による移動部材の拡大図、図６は本考案の好適な実施例による制御部のブロック図である。
【００２２】
これら図面を参照すると、本実施例による複層の太陽光モジュール設置構造は、複数の太陽光モジュールを上下に平行に配置させて設置空間を効率的に使うことができるのはもちろんのこと、太陽の位置によって影によって日光から遮られないようにする特徴がある。
【００２３】
このような効果を提供することができる本実施例による複層の太陽光モジュール設置構造１００は、フレーム１１０及び太陽光モジュール１２０を含む。
【００２４】
前記フレーム１１０は地面から上方に設置されるもので、一対が両側に互いに離隔して配置されるように設置される。
【００２５】
ここで、前記フレーム１１０は互いに対向するように形成され、互いに向き合う側面に長手方向に沿って案内溝１１１が形成される。
【００２６】
ここで、前記フレーム１１０は上部及び下部が前後方向に曲がった波形に形成され、上部及び下部が同一に形成される。
【００２７】
前記フレーム１１０は上部及び下部のそれぞれが略‘Ｓ’字形を有し、前記案内溝１１１も前記フレーム１１０と対応するように形成される。
【００２８】
前記案内溝１１１の内周面には、内周面後方に長手方向にラックギア１１１ａが形成される。
【００２９】
前記太陽光モジュール１２０は入射する太陽光の太陽エネルギーを電気エネルギーに変換させるもので、前記フレーム１１０の間において上部及び下部にそれぞれ配置される。
【００３０】
ここで、前記フレーム１１０及び太陽光モジュール１２０は２層のみならず、それ以上の層に構成されることができる。
【００３１】
前記太陽光モジュール１２０は両側が前記フレーム１１０の案内溝１１１に移動可能に結合される。
【００３２】
具体的に、前記太陽光モジュール１２０の両側には、前記案内溝１１１に移動可能に結合される移動部材１３０が結合される。
【００３３】
前記移動部材１３０は前記太陽光モジュール１２０の下面の中両側中央に形成されるものであり、回転軸１３１、第１リンク１３２、回転ローラー１３３、第２リンク１３４及び第１回転ギア１３５を含む。
【００３４】
前記回転軸１３１は前記太陽光モジュール１２０の両側に結合される。
【００３５】
前記第１リンク１３２は一端が前記回転軸１３１の一端に回転可能に結合され、他端が前方に配置されるように結合される。
【００３６】
前記回転ローラー１３３は前記第１リンク１３２の他端に結合される。
【００３７】
ここで、前記回転ローラー１３３は前記案内溝１１１の内側面の前方に結合される。
【００３８】
前記第２リンク１３４は、一端が前記回転軸１３１の一端に回転可能に結合され、他端が後方に配置されるように結合される。
【００３９】
前記第１回転ギア１３５は前記第２リンク１３４の他端に結合される。
【００４０】
ここで、前記第１回転ギア１３５は前記案内溝１１１の内側面の後方に配置されるものであり、前記案内溝１１１のラックギア１１１ａと噛み合う。
【００４１】
ここで、前記第２リンク１３４の他端部には、前記第１回転ギア１３５を駆動させる第１駆動モーター１３６が取り付けられる。
【００４２】
そして、前記第１リンク１３２及び第２リンク１３４の間には弾性体１３９が備えられ、前記弾性体１３９は、前記第１リンク１３２及び第２リンク１３４の他端部を互いに広げようとする弾性力を有する。
【００４３】
これにより、前記移動部材１３０は、前記弾性体１３９によって前記第１リンク１３２の回転ローラー１３３及び前記第２リンク１３４の第１回転ギア１３５が前記案内溝１１１に密着して固定され、前記第１回転ギア１３５の駆動によって前記太陽光モジュール１２０を前記案内溝１１１に沿って移動させることができる。
【００４４】
一方、太陽の位置（角度）によって日光及び影の位置が変わる。よって、前記太陽光モジュール１２０は前記案内溝１１１に沿って移動することが好ましい。
【００４５】
すなわち、太陽の位置が最上方に位置する場合、前記フレーム１１０の上側に位置する太陽光モジュール１２０が“Ｓ”字形の最前方又は最後方のいずれか一方に移動して配置され、前記フレーム１１０の下側に位置する太陽光モジュール１２０が他方に移動して配置されるようにして、影によって互いに遮られることを防止する。
【００４６】
また、太陽の位置が前方又は対角線方向の前方に位置する場合、前記上側に位置する太陽光モジュール１２０が最上側に移動して配置され、前記下側に位置する太陽光モジュール１２０が最下側に移動して配置されるようにして、影によって互いに遮られることを防止することができる。
【００４７】
前述したように、太陽の角度によって前記上側及び下側に位置する太陽光モジュール１２０を移動配置させることにより、影によって互いに遮られることを防止するのはもちろんのこと、日光を効率的に受けてエネルギー効率を極大化させることができる効果を得ることができる。
【００４８】
さらに、前記太陽光モジュール１２０は前記回転軸１３１によって回転可能に備えられる。
【００４９】
具体的に、前記回転軸１３１の各他端の周囲に歯車１３１ａが形成され、前記太陽光モジュール１２０の両側には前記回転軸１３１の歯車１３１ａと噛み合う第２回転ギア１３７が形成される。
【００５０】
前記第２回転ギア１３７の一側には、前記第２回転ギア１３７を駆動させる第２駆動モーター１３８が備えられる。
【００５１】
これにより、前記太陽光モジュール１２０は前記第２回転ギア１３７の駆動によって前記歯車１３１ａに沿って回転して角度が調節される。
【００５２】
このような構成により、前記太陽光モジュール１２０は太陽の位置によって影によって互いに遮られることを防止することはもちろんのこと、エネルギー効率を極大化させることができる効果を得ることができる。
【００５３】
一方、前記フレーム１１０の上端には、雨天時に雨水を感知する雨水センサー１１２及び太陽の角度を追跡する太陽光追跡センサー１１３が備えられる。
【００５４】
そして、前記フレーム１１０の上部には制御部１１４が取り付けられ、前記雨水センサー１１２及び太陽光追跡センサー１１３から雨水感知値である第１センサー値及び太陽の角度値である第２センサー値を受けて前記第１回転ギア１３５及び第２回転ギア１３７を駆動させる前記第１駆動モーター１３６及び第２駆動モーター１３８を制御する。
【００５５】
これにより、雨天時に雨水によって前記太陽光モジュール１２０が損傷及び破損されることを防止し、耐久性を向上させることができる効果を得ることができる。
【００５６】
また、太陽の位置によって前記太陽光モジュール１２０を回転及び移動させてエネルギー効率を極大化させることができる効果を得ることができる。
【００５７】
本考案による複層の太陽光モジュール設置構造によれば、フレームに太陽光モジュールを上下に配置することにより、太陽光モジュール設置空間を効率的に使うことができる効果を得ることができる。
【００５８】
また、フレームを波形に形成することにより、上下に配置された太陽光モジュールが影によって互いに日光から遮られることを防止してエネルギー効率を極大化させることができる効果を得ることができる。
【００５９】
本考案が属する技術分野の通常の知識を有する者は本考案がその技術的思想又は必須な特徴を変更せずに他の具体的な形態に実施することができることが理解可能であろう。したがって、以上で記述した実施例は全ての面で例示的なもので、限定的ではないものに理解しなければならない。本考案の範囲は前記詳細な説明よりは後述する特許請求範囲によって決定され、特許請求範囲の意味及び範囲、そしてその均等な概念から導出される全ての変更又は変形の形態が本考案の範囲に含まれるものに解釈されなければならない。
【符号の説明】
【００６０】
１００    太陽光モジュール設置構造
１１０    フレーム
１１１    案内溝
１１１ａ  ラックギア
１１２    雨水センサー
１１３    追跡センサー
１１４    制御部
１２０    太陽光モジュール
１３０    移動部材
１３１    回転軸
１３１ａ  歯車
１３２    第１リンク
１３３    回転ローラー
１３４    第２リンク
１３５    第１回転ギア
１３６    第１駆動モーター
１３７    第２回転ギア
１３８    第２駆動モーター
【図１】
0003224522.tif 000003
【図２】
0003224522.tif 000004
【図３】
0003224522.tif 000005
【図４】
0003224522.tif 000006
【図５】
0003224522.tif 000007
【図６】
0003224522.tif 000008